(57)【要約】  本発明の主題は、対象における初回心血管イベントが発生するリスクを評価する、又は心血管に起因する死亡のリスクを評価するための方法であって、ａ）前記対象のサンプル中のセレノプロテインＰ及び／又はその断片のレベル及び／又は量を決定すること； ｂ）セレノプロテインＰ及び／又はその断片の決定された前記レベル及び／又はその量を、前記対象における初回心血管イベントが発生するリスクと相関させること、又は心血管に起因する死亡のリスクを評価すること、を含む方法である。【選択図】なし【特許請求の範囲】
【請求項１】
対象における初回心血管イベントが発生するリスクを評価する又は心血管に起因する死亡のリスクを評価する方法であって、
ａ）前記対象のサンプル中のセレノプロテインＰ及び／又はその断片のレベル及び／又は量を決定すること、
ｂ）セレノプロテインＰ及び／又はその断片の決定された前記レベル及び／又はその量を、前記対象における初回心血管イベントが発生するリスクと相関させること、又は心血管に起因する死亡のリスクを評価すること、を含む方法。
【請求項２】
対象のサンプル中のセレノプロテインＰ及び／又はその断片の決定されたレベル及び/又は量が閾値を下回る際に、初回心血管イベントが発生するリスクを評価すること又は心血管に起因する死亡のリスクを評価することが、強化される、請求項１に記載の対象における初回心血管イベントが発生するリスクを評価する又は心血管に起因する死亡のリスクを評価する方法。
【請求項３】
前記サンプル中のセレノプロテインＰ及び／又はその断片の前記レベル及び/又はその量が、閾値を下回る際に、初回心血管イベントが発生するリスクを評価すること、又は心血管に起因する死亡のリスクを評価することが、強化され、ここで、前記閾値が４．０〜５．５ｍｇ／Ｌの間である、請求項１に記載の対象における初回心血管イベントが発生するリスクを評価する又は心血管に起因する死亡のリスクを評価する方法。
【請求項４】
前記サンプル中のセレノプロテインＰ及び／又はその断片の前記レベル及び/又はその量が、閾値を下回る際に、初回心血管イベントが発生するリスクを評価すること、又は心血管に起因する死亡のリスクを評価することが、強化され、ここで、前記閾値が、受信者操作特性曲線（ＲＯＣ曲線）を計算することによって決定され、「正常」集団（例えば、病状を発症しなかった対象）及び「疾患」集団（例えば、病状を発症した対象）における変数の値対その相対頻度をプロットする、請求項１〜３に記載の対象における初回心血管イベントが発生するリスクを評価する又は心血管に起因する死亡のリスクを評価する方法。
【請求項５】
前記サンプル中のセレノプロテインＰ及び／又はその断片の前記レベル及び/又はその量が、閾値を下回る際に、初回心血管イベントが発生するリスクを評価すること、又は心血管に起因する死亡のリスクを評価することが、強化され、ここで、前記閾値が、健康集団の正常範囲を下回る、例えば、中央値５．５ｍｇ／Ｌ、より好ましくは５．０ｍｇ／Ｌ、さらにより好ましくは４．５ｍｇ／Ｌ、最も好ましくは４．０ｍｇ／Ｌである、請求項１〜４に記載の対象における初回心血管イベントが発生するリスクを評価する又は心血管に起因する死亡のリスクを評価する方法。
【請求項６】
前記対象が、サンプル採取時に心血管イベントを発症したことがなく、心血管疾患を発症したことがない、請求項１〜５に記載の対象における初回心血管イベントが発生するリスクを評価する又は心血管に起因する死亡のリスクを評価する方法。
【請求項７】
前記初回心血管イベントが、心筋梗塞、急性心不全、脳卒中、冠血行再建を含む群から選択され、及び前記心血管に起因する死亡が、心筋梗塞、脳卒中又は急性心不全に関連する心血管死から選択される、請求項１〜６に記載の対象における初回心血管イベントが発生するリスクを評価する又は心血管に起因する死亡のリスクを評価する方法。
【請求項８】
前記対象が、現在喫煙者である又は以前に喫煙者であった者である、請求項１〜７に記載の対象における初回心血管イベントが発生するリスクを評価する又は心血管に起因する死亡のリスクを評価する方法。
【請求項９】
セレノプロテインＰ及び／又はその断片の前記レベル及び/又はその量が、配列番号２に結合する少なくとも１つの結合剤を使用するイムノアッセイによって決定される、請求項１〜８に記載の対象における初回心血管イベントが発生するリスクを評価する又は心血管に起因する死亡のリスクを評価する方法。
【請求項１０】
前記少なくとも１つの結合剤が、抗体又はその断片である、請求項９に記載の対象における初回心血管イベントが発生するリスクを評価する又は心血管に起因する死亡のリスクを評価する方法。
【請求項１１】
セレノプロテインＰ及び／又はその断片の前記レベル及び/又はその量が、質量分析によって決定される、請求項１〜８に記載の対象における初回心血管イベントが発生するリスクを評価する又は心血管に起因する死亡のリスクを評価する方法。
【請求項１２】
前記対象が、真性糖尿病を患っていない、請求項１〜１１に記載の対象における初回心血管イベントが発生するリスクを評価する又は心血管に起因する死亡のリスクを評価する方法。
【請求項１３】
前記死亡を含む初回心血管イベントが発生するリスクが、前記対象からサンプルを採取した後、１０年、好ましくは８年、好ましくは５年、好ましくは２．５年の期間評価される、請求項１〜１２に記載の対象における初回心血管イベントが発生するリスクを評価する又は心血管に起因する死亡のリスクを評価する方法。
【請求項１４】
前記サンプルが、全血、血漿、及び血清を含む群から選択される、請求項１〜１３に記載の対象における初回心血管イベントが発生するリスクを評価する又は心血管に起因する死亡のリスクを評価する方法。
【請求項１５】
初回心血管イベントが発生するリスク又は心血管に起因する死亡のリスクを有する対象の治療に使用するためのセレンであって、ここで、前記対象が、高い初回心血管イベントが発生するリスク又は心血管に起因する死亡のリスクを有する、セレン。
【請求項１６】
初回心血管イベントが発生するリスク又は心血管に起因する死亡のリスクを有する対象の治療に使用するためのセレンであって、ここで、前記対象が、請求項１〜１４の方法によって決定されるように、高い初回心血管イベントが発生するリスク又は心血管に起因する死亡のリスクを有する、セレン。
【請求項１７】
初回心血管イベントが発生するリスク又は心血管に起因する死亡のリスクを有する対象の治療に使用するためのセレンであって、ここで、前記対象が、請求項１〜１４の方法によって決定されるように、高い初回心血管イベントが発生するリスク又は心血管に起因する死亡のリスクを有し、セレノプロテインＰ及び／又はその断片の決定された前記レベル及び/又はその量が、閾値を下回り、及び前記閾値が、４．０〜５．５ｍｇ／Ｌの間である、セレン。
【請求項１８】
初回心血管イベントが発生するリスク又は心血管に起因する死亡のリスクを有する対象の治療に使用するためのセレンであって、ここで、前記対象が、請求項１５〜１７の何れかによる高い初回心血管イベントが発生するリスク又は心血管に起因する死亡のリスクを有し、前記対象が、現在喫煙者である又は以前に喫煙者であった者である、セレン。
【請求項１９】
ニコチン性消耗品及びセレンを含む固形組成物を含むキット。
【請求項２０】
初回心血管イベントが発生するリスク又は心血管に起因する死亡のリスクを有する対象の治療方法であって、ここで、セレンが、医薬的に許容される量で前記対象に投与され、前記対象が、高い初回心血管イベントが発生するリスク又は心血管に起因する死亡のリスクを有する、治療方法。
【請求項２１】
セレンが、医薬的に許容される量で前記対象に投与され、前記対象が、請求項１〜１４の方法によって決定されるように、高い初回心血管イベントが発生するリスク又は心血管に起因する死亡のリスクを有する、初回心血管イベントが発生するリスク又は心血管に起因する死亡のリスクを有する対象の治療方法。
【請求項２２】
セレノプロテインＰ及び／又はその断片の決定された前記レベル及び/又はその量が、閾値を下回り、及び前記閾値が、４．０〜５．５ｍｇ／Ｌの間である、請求項２１に記載の初回心血管イベントが発生するリスク又は心血管に起因する死亡のリスクを有する対象の治療方法。
【請求項２３】
前記対象が、現在喫煙者である又は以前に喫煙者であった者である、請求項２０〜２２の何れかに記載の初回心血管イベントが発生するリスク又は心血管に起因する死亡のリスクを有する対象の治療方法。
【請求項２４】
請求項１５〜２３の何れかに記載の治療方法を監視する方法であって、請求項１〜１４の何れかに記載のリスクを評価するための方法が、少なくとも２回実施される、方法。
【請求項２５】
前記投与されるセレンが、亜セレン酸塩、セレン酸塩、又はセレノメチオニン（Ｌ−セレノメチオニン）を含む群から選択される、請求項１５〜２４の何れかに記載の初回心血管イベントが発生するリスク又は心血管に起因する死亡のリスクを有する対象の治療方法。
【発明の詳細な説明】
【技術分野】
【０００１】
本発明の主題は、対象における初回心血管イベントが発生するリスクを評価する方法又は対象における心血管に起因する死亡のリスクを評価する方法であって、以下：
ａ）前記対象のサンプル中のセレノプロテインＰ及び／又はその断片のレベル及び／又は量を決定すること
ｂ）セレノプロテインＰ及び／又はその断片の決定されたレベル及び／又はその量を、前記対象における初回心血管イベントが発生するリスクと関連付けること又は心血管に起因する死亡のリスクを評価すること、を含む方法である。
【背景技術】
【０００２】
セレノプロテインＰ（略称Ｓｅｐｐ１、ＳｅＰ、ＳＥＬＰ、ＳｅＰＰ）は、血漿セレノプロテインであり、セレン栄養マーカーとして機能し、セレン欠乏症の重症度が高まると血漿濃度が低下する（Yang et al. 1989. J Nutr 119:1010-1012; Renko et al. 2008. Biochem J 409:741-749）。
【０００３】
セレンは、セレノプロテインを介して機能するため、セレンがセレノプロテイン合成の制限因子となることを防ぐために十分な量が供給されれば、最適な健康状態が達成されることが提唱されている。セレノプロテインの最適化の決定は、セレンの栄養要件を評価するために使用される主要な手法となっている（Burk and Hill 2009. Biochim Biophys Acta. 1790(11): 1441-1447）。
【０００４】
これまでに、細胞の酸化還元プロセスの制御に様々な役割を果たす２５個を超えるセレノプロテインが単離されている（Liu et al. 2017. Metallomics 9: 21-37）。それらは様々な組織や細胞で発現し、多くの機能を示す。例えば、グルタチオンペルオキシダーゼ（ＧＰｘ）は、細胞内の過酸化水素を解毒し、リポタンパク質及び／又はＤＮＡ損傷から細胞を保護する。一方、チオレドキシンレダクターゼ（ＴｒｘＲ）は、チオレドキシンを再生し、それによって細胞の酸化還元状態のバランスをとる（Reeves and Hoffmann 2009. Cell. Mol. Life Sci. 66, 2457-2478）。
【０００５】
セレンは、セレノプロテインが誘導する防御システムにおいて重要な役割を果たす。その結果、セレン血中濃度は、酸化ストレス関連疾患のバイオマーカーとして広く利用されている。様々な観察研究により、相反する結果を伴う心血管の発症に対する血清セレンレベルの重要性が調査されている。健康な高齢者を対象としたセレンの栄養補助食品試験では、心血管に起因する死亡率が大幅に減少し、心機能が著しく改善した（Alehagen et al. 2013. Int J Cardiol 167(5): 1860-1866）。これは介入後の１０年間の追跡調査期間中に未だ観察される（Alehagen and Johansson 2015. PLoS One 10(12):e0141641）。さらに、低いセレン濃度は、急性冠症候群（ＡＣＳ）を患う患者の将来の心血管に起因する死亡と関連したが、安定狭心症を患う患者では関連しなかった（Lubos et al. 2010. Atherosclerosis 209: 271-277）。対照的に、いくつかのセレン補充試験のメタ分析は、心血管に起因する死亡率及び致命的及び非致命的心血管イベントの全てに対するセレン補充の統計的に有意な影響はなかったと報告した（Flores-Mateo et al. 2006. Am J Clin Nutr 84: 762-773; Rees et al. 2013. Cochrane Database Syst Rev CD009671）。まとめると、これまでのランダム化された試験の結果は、一貫しておらず、ＣＶＤ予防におけるＳｅ補充の役割は、結論が出ていない。研究対象の集団のベースラインのセレンの状態の違いとセレン補充の用量は、試験研究の一貫性の欠如を部分的に説明できる可能性がある。セレンの補充は、ベースラインのセレンの状態が低い人には有益である可能性があるが、セレンの状態が十分あるいは高い状態にある人の心血管系においては、影響を与えないか、又は悪影響を与える。例えば、既に十分なセレンを摂取している人に追加のセレンを補充すると、２型糖尿病のリスクが高まる可能性がある（Rayman and Stranges 2013. Free Radical Biol Med 65: 1557-1564）。従って、セレンの状態とＣＶＤのリスクとの関連性をＵ字型で説明することは、合理的な説明である可能性がある（Bleys et al. 2008. Arch Intern Med 168: 404-410）。
【０００６】
セレン補充研究（Meplan et al. 2007. FASEB J 21: 3063-3074; Xia et al. 2005. Am J Clin Nutr 81:829-834; Burk et al. 2006. Cancer Epidemiol Biomarkers Prev 15: 804-810）は、ＳｅＰＰ血漿濃度が、ヒトのセレン栄養状態の最も簡単に利用しやすいマーカーであることを示す。ただし、栄養要件が満たされると、ＳｅＰＰ濃度は、追加の摂取の増加を反映しない。
【０００７】
セレノプロテインＰは、血漿中のセレンの大半を含む分泌糖タンパク質である（Hill et al. 1996. J Nutr 126: 138-145; Read et al. 1990. J Biol Chem 265: 17899-17905）。セレン含有量に関して、ＳｅＰＰは、二つのドメインに分割され得る。アミノ酸配列の約３分の２のＮ末端ドメインには、Ｕ−ｘ−ｘ−Ｃレドックスモチーフに１つのセレノシステイン（Ｕ）が含まれる。短いＣ末端ドメインには、複数のセレノシステインが含まれる。例えば、ラット、マウス、及びヒトでは、９個含まれる。
【０００８】
完全長のＳｅＰＰは、血漿中に存在するが、セレン含有量が減少した短縮型も存在する。ラット血漿から精製されたＳｅＰＰは、４つのアイソフォームとして存在する。１０個のセレノシステイン残基を含む完全長のアイソフォームに加えて、２番目、３番目、及び７番目のセレノシステインの一で終結する短いアイソフォームが存在する。これらのアイソフォームは、それぞれ、１、２、及び６個のセレノシステイン残基を含む（Himeno et al. 1996. J Biol Chem 271: 15769-157759; Ma et al. 2002. J Biol Chem 277: 12749-12754）。マウス（Hill et al. 2007. J Biol Chem 282: 10972-1098）及びヒト（Akesson et al. 1994. Biochim Biophys Acta 1204: 243-249）にそれぞれＳｅＰＰアイソフォームが存在する証拠がある。構造的に、ヒトＳｅＰＰは、３８１個のアミノ酸残基（配列番号１）を含むタンパク質であり、そのうちの１０個が、５９、３００、３１８、３３０、３４５、３５２、３６７、３６９、３７６及び３７８の位置にＳｅｃ残基があると予測される。
【０００９】
その分泌形態（シグナル配列の切断後）は、３６２アミノ酸残基（配列番号２）を含み、リン酸化及び複数のグリコシル化部位を含むことが可能な翻訳後修飾を含み得る。さらに、ＳｅＰＰのＮ末端又はＣ末端部分を含むいくつかの断片が単離されている（Ballihaut et al. 2012. Metallomics 4: 533-538; Hirashima et al. 2003. Biol Pharm Bull 26(6): 794-798）。
【００１０】
肝臓は、代謝回転が速いため、血漿中のＳｅＰＰの大半を産生する。ＳｅＰＰは、他の組織でも発現しており、おそらくそれらによって分泌される（Hill et al. 1993. Proc Natl Acad Sci USA 90:537-541; Yang et al. 2000. Biochim Biophys Acta 1474: 390-396）。肝臓は、いくつかの供給源からセレンを取得し、セレノプロテイン合成と生体からの排出の間でセレンを配分する。特に、肝臓は、その固有のセレノプロテイン並びに分泌されたセレン分子ＳｅＰＰ及び排泄性の代謝産物を合成する。従って、全身のセレンは、セレノプロテイン合成及びセレン排泄性代謝産物合成の経路の間の代謝的に利用可能なセレンの分布によって肝臓で制御されていると考えられる。
【００１１】
上昇した循環セレノプロテインＰ濃度は、Ｔ２ＤＭ及び糖尿病前症の患者で報告されており、アテローム性動脈硬化症に関連していることが示されている（Yang, et al. 2011. J. Clin. Endocrinol. Metab. 96: E1325-E132）。加えて、ＳｅＰＰ濃度は、過体重及び肥満の患者で増加した（Chen et al. 2017. Obes Res Clin Pract 11(2): 227-232）。対照的に、ＳｅＰＰ濃度は、敗血症で減少し、おそらくセレン濃度の低下（Hollenbach et al. 2008. Journal of Trace Elements in Medicine and Biology 22: 24-32）又は肝臓によるセレン放出の減少（Renko et al. 2009. FASEB J 23:1758-1765）が原因である。メタボリックシンドロームの状態に関連する循環ＳｅＰＰレベルの大幅な減少は、心血管疾患が報告されている患者においても見られた（Gharipour et al. 2017. J Gene Med 19:e2945）。
【００１２】
血清セレンとセレノプロテインＰレベルの間には、非常に顕著な相関が見られた（Andoh et al. 2005. Nutrition 21(5): 574-9）。
【００１３】
抗体ベースのアッセイによるいくつかのＳｅＰＰ定量法が知られている： 放射免疫アッセイ（Hill et al. 1996. J Nutr 126:138-45）、酵素結合免疫吸着アッセイ（Andoh et al. 2005. Nutrition 21(5):574-9）、高感度化学発光イムノアッセイ（Hollenbach et al. 2008. Journal of Trace Elements in Medicine and Biology 22: 24-32）及び標準参照物質に対して較正された最新のサンドイッチＳＥＬＥＮＯＰ−ＥＬＩＳＡ（Hybsier et al. 2017. Redox Biology 11: 403-414）。
【００１４】
主に糖尿病患者における死亡の原因となる全てのリスクの増加は、血漿ＳｅＰＰ値の低下を示しており、ＷＯ２０１５／１８５６７２に記載されている。
【発明の概要】
【００１５】
本発明の主題は、健康な対象における初回心血管イベント（心血管に起因する死亡を含む）が発生するリスクを予測するためのＳｅＰＰの予後及び診断力を調査することであった。この問題に対処するために、スウェーデンの前向きコホート研究（マルメ予防プロジェクト（Ｍａｌｍｏ Ｐｒｅｖｅｎｔｉｖｅ Ｐｒｏｊｅｃｔ）（ＭＰＰ））でＳｅＰＰを測定した。そして、このバイオマーカーのベールラインレベルは、１０年間の追跡調査中での初回心血管イベント（心血管に起因する死亡を含む）に関連する。
【００１６】
驚くべきことに、セレノプロテインＰ及び／又はその断片は、特に喫煙者において、初回心血管イベントが発生するリスク又は心血管に起因する死亡のリスクを予測するための強力且つ、非常に重要なバイオマーカーであることが示された。
【００１７】
本発明の主題は、対象における初回心血管イベントが発生するリスクを評価する方法又は心血管に起因する死亡のリスクを評価する方法であって、以下：
ａ）前記対象のサンプル中のセレノプロテインＰ及び／又はその断片のレベル及び／又は量を決定すること、
ｂ）セレノプロテインＰ及び／又はその断片の決定されたレベル及び／又はその量を、前記対象における初回心血管イベントが発生するリスクと関連付けること又は心血管に起因する死亡のリスクを評価すること、
を含む方法である。
【００１８】
本発明の主題は、上記で定義されるように、対象における初回心血管イベントが発生するリスクを評価するため又は対象における心血管に起因する死亡のリスクを評価するための方法であって、ここで、前記対象のサンプル中のセレノプロテインＰ及び／又はその断片の決定されたレベル及び／又はその量が、閾値未満である場合、初回心血管イベントが発生するリスク又は心血管に起因する死亡のリスクを評価することが強化される。
【００１９】
本発明の主題は、上記で定義されたように、対象の初回心血管イベントが発生するリスク評価するため、又は対象の心血管に起因する死亡のリスクを評価するための方法であって、ここで、前記サンプル中の前記セレノプロテインＰ及び／又はその断片の量が、閾値未満である場合、初回心血管イベントが発生するリスク又は心血管に起因する死亡のリスクを評価することが強化され、ここで、前記閾値が、４．０〜５．５ｍｇ／Ｌである。
【図面の簡単な説明】
【００２０】
【図１】図１は、ＳｅＰＰ濃度による心血管に起因する死亡のリスクのＫａｐｌａｎ−Ｍｅｉｅｒプロットを示す。
【図２】図２は、ＳｅＰＰ濃度による初回心血管イベントのリスクのＫａｐｌａｎ−Ｍｅｉｅｒプロットを示す。
【発明を実施するための形態】
【００２１】
本明細書で使用される「対象」という用語は、生きている人又は非ヒト生物を指す。好ましくは、本明細書では、対象は、ヒト対象である。特に明記しない限り、対象は、健康又は病期である可能性がある。
【００２２】
一実施形態において、前記対象は、スタチンを服用していないか、又はスタチンによる治療を受けていない。
【００２３】
「レベルの減少（ｄｅｃｒｅａｓｅｄ ｌｅｖｅｌ）」という用語は、特定の閾値レベル未満のレベルを意味する。「増加したレベル（ｉｎｃｒｅａｓｅｄ ｌｅｖｅｌ）」という用語は、特定の閾値レベルを超えるレベルを意味する。
【００２４】
体液は、血液、血清、血漿、尿、脳脊髄液（ＣＳＦ）、及び唾液を含む群から選択され得る。
【００２５】
「セレノプロテインＰのレベルを決定する」という用語は、通常、前述の分子内の領域に対する免疫反応性が決定されることを意味する。つまり、特定の断片が選択的に測定される必要はない。セレノプロテインＰ及び／又はその断片のレベルの決定に使用されるバインダーは、前記バインダーの結合領域を含む何れかの断片に結合することが理解されている。前記バインダーは、抗体又は抗体断片又は非ＩｇＧスキャフォールド（Ｓｃａｆｆｏｌｄ）であり得る。
【００２６】
特定の一実施形態において、セレノプロテインＰのレベルは、イムノアッセイで測定され、前記バインダーは、抗体、又はセレノプロテインＰ及び／又はその断片に結合する抗体である。
【００２７】
様々なイムノアッセイが知られており、本発明のアッセイ及び方法に用いられ得る。それらは、ラジオイムノアッセイ（「ＲＩＡ」）、均一酵素増幅免疫測定法（「ＥＭＩＴ」）、酵素結合免疫吸着アッセイ（「ＥＬＩＳＡ」）、アポ酵素再活性化イムノアッセイ（「ＡＲＩＳ」）、化学発光及び発光免疫アッセイ、Ｌｕｍｉｎｅｘベースのビーズアレイ、タンパク質マイクロアレイアッセイ、並びにイムノクロマトグラフィーストリップテスト（「ディップスティックイムノアッセイ」）及びイムノクロマトグラフィーアッセイ等の迅速なテスト形式を含む。
【００２８】
本発明の一実施形態において、このようなアッセイは、限定されないが、酵素標識、化学発光標識、電気化学発光標識を含む何れかの種類の検出技術を使用するサンドイッチイムノアッセイである。本発明の一実施形態において、そのようなアッセイは、酵素標識サンドイッチアッセイである。自動化又は完全自動化されたアッセイの例は、以下のシステムの1つで用いられ得るアッセイを含む：Ｒｏｃｈｅ Ｅｌｅｃｓｙｓ(登録商標)、Ａｂｂｏｔｔ Ａｒｃｈｉｔｅｃｔ(登録商標)、Ｓｉｅｍｅｎｓ Ｃｅｎｔａｕｅｒ(登録商標)、Ｂｒａｈｍｓ Ｋｒｙｐｔｏｒ(登録商標)、Ｂｉｏｍｅｒｉｅｕｘ Ｖｉｄａｓ(登録商標)、Ａｌｅｒｅ Ｔｒｉａｇｅ(登録商標)。
【００２９】
本発明の一実施形態において、それは、完全に自動化されたアッセイシステムを必要とせずに患者の近くで１時間以内に試験を実施できる試験技術である、いわゆるＰＯＣ試験（ポイントオブケア（ｐｏｉｎｔ−ｏｆ−ｃａｒｅ））であり得る。この技術の1つの例は、免疫クロマトグラフィー試験技術である。
【００３０】
本発明の一実施形態において、検出されるために、前記２つのバインダーの少なくとも1つが標識される。
【００３１】
好ましい実施形態において、前記標識は、化学発光標識、酵素標識、蛍光標識、放射性ヨウ素標識を含む群から選択される。
【００３２】
アッセイは、同種又は異種アッセイ、競合及び非競合アッセイであり得る。一実施形態において、アッセイは、非競合イムノアッセイであるサンドイッチアッセイの形式であり、ここで、検出及び／又は定量化される分子が、一次抗体及び二次抗体に結合する。一次抗体は、固相、例えばビーズ、ウェル又は他の容器の表面、チップ又はストリップ等に結合されてもよく、二次抗体は、例えば、色素、放射性同位元素、又は反応性若しくは触媒活性部分で標識された抗体である。次いで、分析物に結合した標識抗体の量を適切な方法で測定する。「サンドイッチアッセイ」に関連する一般的な組成及び手順は、十分に確立されており、当業者に周知である（The Immunoassay Handbook, Ed. David Wild, Elsevier LTD, Oxford; 3rd ed. (May 2005), ISBN-13: 978-0080445267; Hultschig C et al., Curr Opin Chem Biol. 2006 Feb;10(1):4-10. PMID: 16376134）。
【００３３】
他の実施形態において、アッセイは、２つの補足分子、好ましくは両方が液体反応混合物中の分散液として存在する抗体を含み、ここで、第１の標識成分は、第１の補足分子に付着し、ここで、前記第１の標識成分は、経口又は化学発光の症候又は増幅に基づく標識システムの一部であり、前記マーキングシステムの第２の標識成分は、第２の補足分子に付着し、その結果、両方の補足分子が分析物に結合すると、測定可能な信号が生成され、サンプルを含む溶液中に形成されたサンドイッチ複合体の検出が可能になる。
【００３４】
他の実施形態において、前記標識システムは、蛍光色素又は化学発光色素、特にシアニンタイプの色素と組み合わせた希土類クリプテート又は希土類キレートを含む。
【００３５】
本発明の内容において、蛍光ベースのアッセイは、色素の使用を含み、これは、例えば、ＦＡＭ（５−又は６−カルボキシフルオレセイン）、ＶＩＣ、ＮＥＤ、フルオレセイン、フルオレセインイソチアシアネート（ＦＩＴＣ）、ＩＲＤ−７００／８００、シアニン色素、例えば、ＣＹ３、ＣＹ５、ＣＹ３．５、ＣＹ５．５、Ｃｙ７、キサンテン、６−カルボキシ−２’，４’，７’，４，７−ヘキサクロロフルオレセイン（ＨＥＸ）、ＴＥＴ、６−カルボキシ−４’，５’−ジクロロ−２’、７’−ジメソダイフルオレセイン（ＪＯＥ）、Ｎ，Ｎ，Ｎ’，Ｎ’−テトラメチル−６−カルボキシローダミン（ＴＡＭＲＡ）、６−カルボキシ−Ｘ−ローダミン（ＲＯＸ）、5-カルボキシローダミン−６Ｇ（Ｒ６Ｇ５）、６−カルボキシローダミン−６Ｇ（ＲＧ６）、ローダミン、ローダミングリーン、ローダミンレッド、ローダミン１１０、ＢＯＤＩＰＹ色素、例えば、ＢＯＤＩＰＹ ＴＭＲ、オレンジグリーン、クマリン、例えば、ウンベリフェロン、ベンズイミド、例えば、ヘキスト３３２５８； フェナントリジン、例えば、テキサスレッド、ヤキマイエロー、アレクサフロー、ＰＥＴ、エチジウムブロマイド、アクリジニウム色素、カルバゾール色素、フェノキサジン色素、ポルフィリン色素、ポリメチン色素、及び同様のものを含む群から選択され得る。
【００３６】
本発明の内容において、化学発光ベースのアッセイは、先行技術文献（Kirk-Othmer, Encyclopedia of chemical technology, 4th ed., executive editor, J. I. Kroschwitz; editor, M. Howe-Grant, John Wiley & Sons, 1993, vol.15, p. 518-562, incorporated herein by reference, including citations on pages 551-562）の化学発光材料について説明した物理原理に基づいた色素の使用を含む。化学発光標識は、アクリジニウムエステル標識、イソルミノール標識を含むステロイド標識、及び同様のものであり得る。好ましい化学発光色素は、アクリジニウムエステルである。
【００３７】
酵素標識は、乳酸脱水素酵素（ＬＤＨ）、クレアチンキナーゼ（ＣＰＫ）、アルカリフォスファターゼ、アスパラギン酸アミノトランスフェラーゼ（ＡＳＴ）、アラニンアミノトランスフェラーゼ（ＡＬＴ）、酸性フォスファターゼ、グルコース−６−リン酸デヒドロゲナーゼ等であり得る。
【００３８】
本発明によるサンプル中のセレノプロテインＰ及び／又はその断片を決定するためのアッセイの一実施形態において、前記アッセイの感度は、＜０．１００ｍｇ／Ｌ、好ましくは＜０．０５ｍｇ／Ｌ、より好ましくは＜０．０１ｍｇ／Ｌである。
【００３９】
本発明によれば、セレノプロテインＰ及び／又はその断片に対する診断用バインダーは、抗体、例えばＩｇＧ、典型的な全長免疫グロブリン、又は限定されないが、Ｆａｂミニボディ、単一鎖Ｆａｂ抗体、例えば、Ｆａｂ−Ｖ５Ｓｘ２； ＣＨ３ドメインと二量体化した多価Ｆａｂ（ミニ抗体）等のエピトープタグを有する一価抗体を含むＦａｂ断片を含む化学結合抗体（断片抗原結合）等の少なくとも重鎖及び／又は軽鎖のＦ−可変ドメインを含む抗体断片；二価Ｆａｂ又は多価Ｆａｂ、例えば、異種ドメインの助けを借りた多量体化により形成された、例えば、ｄＨＬＸドドメインの二量体化を介した、例えばＦａｂ−ｄＨＬＸ−ＦＳｘ２； Ｆ（ａｂ‘）２−断片、ｓｃＦｖ−断片、多量体化多価及び／又は多重特異性ｓｃＦｖ断片、二価及び／又は二重特異性ダイアボディ、ＢＩＴＥ(登録商標)（二重特異性Ｔ細胞エンガー）、三重機能性抗体、多価抗体、例えば、Ｇとは異なるクラス由来； 単一ドメイン抗体、例えばラクダ科又は魚類の免疫グロブリンに由来するナノボディからなる群から選択される。
【００４０】
特定の実施形態において、セレノプロテインＰ及び／又はその断片のレベルは、セレノプロテインＰ及び／又はその断片への結合について以下により詳細に記載される抗体、抗体断片、アプタマー、非Ｉｇスキャフォールドを含む群から選択されるバインダーを用いるアッセイで測定される。
【００４１】
本明細書で言及されるように、「アッセイ」又は「診断アッセイ」は、診断の分野で適用される何れかのタイプのものであり得る。そのようなアッセイは、検出される分析物の特定の親和性を有する１つ以上の補足プローブに対する結合に基づいてもよい。補足分子と標的分子又は目的分子との相互作用に関して、親和定数は、１０７Ｍ−１より大きく、好ましくは１０８Ｍ−１が好ましく、１０９Ｍ−１がより好ましく、１０１０Ｍ−１が最も好ましい。結合アフィニティは、サービス分析として提供される、例えば、Ｂｉａｆｆｉｎ、ｋａｓｓｅｌ、ドイツ（(http://www.biaffin.com/de/）等の、ビアコア法を使用して決定され得る。
【００４２】
本発明の内容において、「バインダー分子」は、サンプルからの標的分子又は目的分子、すなわち、分析物（すなわち、本発明の内容において、セレノプロテインＰ及びその断片）を結合するために使用できる分子である。従って、バインダー分子は、空間的に、及び表面電荷、疎水性、親和性、ルイドナー及び／又はアクセプターの有無等の表面特徴の両方に関して、標的分子又は目的分子を特異的に結合するために適切に形成されなければならない。これにより、結合は、例えば、イオン、ファンデルワールス、パイ−パイ、シグマ−パイ、疎水性又は水素結合相互作用、又は補足分子と標的分子又は目的分子の間の前述の相互作用の２つ以上の組み合わせによって媒介され得る。本発明の内容において、バインダー分子は、例えば、核酸分子、炭水化物分子、ＰＮＡ分子、タンパク質、抗体、ペプチド又は糖タンパク質を含む群から選択され得る。好ましくは、バインダー分子は、目的の標的又は分子に対して十分な親和性を有する断片を含む抗体、及び組換え抗体又は組換え抗体断片、並びに抗体又は抗体断片の少なくとも１２個のアミノ酸超を有する変異鎖に由来する前記抗体又は断片の科学的及び／又は生化学的に改変された誘導体、を含む抗体である。
【００４３】
抗体に加えて、他のバイオポリマースキャフォールドは、標的分子を複合体化することについて当該技術分野で周知であり、高い標的特異性を有するバイオポリマーの生成のために用いられてきた。その例は、アプタマー、シュピーゲルマー、アンチカリン及びコノトキシンである。非Ｉｇスキャフォールドは、タンパク質スキャフォールドであり得、リガンド又は抗原に結合できるため、抗体模倣物として使用され得る。非Ｉｇスキャフォールドは、テトラネクチンベースの非Ｉｇスキャフォールド（例えば、ＵＳ２０１０／００２８９９５に記載）、フィブロネクチンスキャフォールド（例えば、ＥＰ １２６６ ０２５に記載）；リポカリンベースのスキャフォールド（例えば、ＷＯ ２０１１／１５４４２０に記載）； ユビキチンスキャフォールド（例えば、ＷＯ ２０１１／０７３２１４に記載）、トランスファリングスキャフォールド（例えば、ＵＳ ２００４／００２３３３４に記載）、タンパク質Ａスキャフォールド（例えば、ＥＰ ２２３１８６０に記載）、アンキリンリピートベースのスキャフォールド（例えば、ＷＯ ２０１０／０６０７４８に記載）、ミクロタンパク質（好ましくはシステインノットを形成するミクロタンパク質）スキャフォールド（例えば、ＥＰ ２３１４３０８に記載）、Ｆｙｎ ＳＨ３ドメインベースのスキャフォールド（例えば、ＷＯ ２０１１／０２３６８５に記載）、ＥＧＦＲ−Ａ−ドメインベースのスキャフォールド（例えば、ＷＯ ２００５／０４０２２９に記載）及びクニッツドメインベースのスキャフォールド（例えば、ＥＰ １９４１８６７に記載）、を含む群から選択され得る。
【００４４】
本発明の一実施形態において、前記２つのバインダーの少なくとも１つは、磁性粒子として固相に、及びポリスチレン表面に結合される。
【００４５】
あるいは、上記の分析物の何れかのレベルは、他の分析方法、例えば質量分析によって決定され得る。
【００４６】
本発明による方法の特定の一実施形態において、前記対象は、心血管イベントを一度も発症したことがなく、心血管疾患を一度も発症したことがない。本発明による方法の他の特定の実施形態において、前記対象は、頸動脈プラークを有するが頸動脈疾患の症状を有しない。アテローム性動脈硬化症の存在を検出し、その退行、停止、又は進行を監視する確立された方法は、内中膜複合体厚（ＩＭＴ）の測定である（de Groot et al. 2008. Nature Reviews Cardiology 5, 280-288）。これは、動脈壁の最も内側の２つの相である内膜及び中膜の厚さの測定値である。通常、測定は、外部の超音波によって行われ、場合により内部の侵襲的な超音波カテーテルによって行われる。ＦＤＡは、臨床試験への応用のためにアテローム性動脈硬化症の代理マーカーとしてＩＭＴを承認した。ＩＭＴの範囲は、心血管の転帰及び薬物の有効性との経時的変化（年間のＩＭＴの統計的に有意な）に関連する（de Groot et al. 2008. Nature Reviews Cardiology 5; Hedblad et al. 2001. Circulation 103:1721-1726）。
【００４７】
本発明の他の特定の実施形態において、体液のサンプルが前記対象から採取される時点で、前記対象は、心血管疾患の素因を有しない、例えば、糖尿病前症、空腹時血糖障害又は真性糖尿病を有しない。
【００４８】
前記心血管イベント又は心血管疾患は、心不全、アテローム性動脈硬化症、高血圧、心筋症、心筋梗塞及び脳卒中を含む群から選択され得る。前記心疾患イベント又は心血管疾患は、心筋梗塞、急性心不全、脳卒中を含む群から選択され得、及び前記心血管に起因する死亡（ｃａｒｄｉｏｖａｓｃｕｌａｒ ｍｏｒｔａｌｉｔｙ）は、心筋梗塞、脳卒中又は急性心不全に関連する心血管死から選択される。
【００４９】
一実施形態において、前記心血管イベント又は心血管疾患は、心不全、アテローム性動脈硬化症、高血圧、心筋症及び心筋梗塞を含む群から選択され得る。前記心血管イベント又は心血管疾患は、心筋梗塞、急性心不全を含む群から選択され得、及び前記心血管に起因する死亡は、心筋梗塞に関連する心血管死、又は急性心不全から選択される。
【００５０】
一実施形態において、前記心血管イベント又は心血管疾患は、心不全、アテローム性動脈硬化症、高血圧、心筋症及び心筋梗塞を含む群から選択され得るが、前記心血管イベント又は心血管疾患は、脳卒中ではない。前記心血管イベント又は心血管疾患は、心筋梗塞、急性心不全を含む群から選択され得るが、前記心血管イベント又は心血管疾患は、脳卒中ではなく、及び前記心血管に起因する死亡は、心筋梗塞に関連する心血管死、又は急性心不全から選択されるが、心血管に起因する死亡は、脳卒中と関連しない。
【００５１】
本発明による方法の一実施形態において、前記方法は、初回心血管イベントの予防又は心血管疾患の予防に使用される。
【００５２】
本発明による方法の一実施形態において、前記方法は、脳卒中ではない初回心血管イベントの予防、又は脳卒中ではない心血管疾患の予防に使用される。
【００５３】
本発明の特定の実施形態において、前記初回心血管イベントは、心筋梗塞、急性心不全、脳卒中、冠血行再建及び心筋梗塞、脳卒中又は急性心不全に関連する心血管死を含む群から選択される急性心血管イベントである。
【００５４】
本発明の特定の実施形態において、前記初回心血管イベントは、心筋梗塞、急性心不全、冠血行再建及び心筋梗塞に関連する心血管死、又は急性心不全を含む群から選択される急性心血管イベントである。
【００５５】
本発明の特定の実施形態において、前記初回心血管イベントは、心筋梗塞、急性心不全、冠血行再建であるが、脳卒中ではなく、及び心筋梗塞に関連する心血管死、又は急性心不全であるが、脳卒中には関連しない、の群から選択される急性心血管イベントである。
【００５６】
本発明の一実施形態において、前記対象は、現在喫煙者である、又は以前に喫煙者（過去に、例えば数週間前又は数か月前又は数年前に喫煙したことがある）であった対象である。喫煙者は、喫煙している対象、例えば定期的にたばこを吸う（社交的な喫煙の様な時折の喫煙又はそのうちの喫煙（ｓｏｍｅ−ｄａｙ ｓｍｏｋｉｎｇ））と定義される。
【００５７】
初回心血管イベント又は心血管死のリスクは、心血管の素因に起因してイベントが発生するリスク、又は一定期間内に心血管の素因により死亡するリスクを意味する。特定の実施形態において、前記期間は、１０年以内、又は８年以内、又は５年以内又は２．５年以内である。
【００５８】
初回心血管イベント又は心血管に起因する死亡のリスクは、一定期間内に心血管の素因によりイベントが発生するリスク、又は一定期間内に心血管の素因により死亡するリスクを意味するが、ここで、心血管イベント又は心血管に起因する死亡は、脳卒中ではなく又は脳卒中に関連しない。特定の実施形態において、前記期間は、１０年以内、又は８年以内、又は５年以内又は２．５年以内である。
【００５９】
糖尿病の定義は、以下の通りである：医師の診断歴又は抗糖尿病薬を服用しているか又はベースライン検査で全血グルコースが空腹時＞／＝６．１ｍｍｏｌ（血漿中７．０ｍｍｏｌ／ｌであることに注意）である。
【００６０】
糖尿病前症又は空腹時血糖障害（ＦＧ）は、全血の空腹時血漿グルコースが、＞／＝５．４〜＜６．１ｍｍｏｌ／ｌ（６．１〜６．９ｍｍｏｌ／ｌに相当）として定義される。本発明による方法の特定の実施形態において、前記対象は、空腹時全血グルコースが、５．４ｍｍｏｌ／ｌ（血漿中＜６．１ｍｍｏｌ／ｌに相当）未満の非糖尿病対象である。
【００６１】
正常血圧／高血圧（ＨＢＰ）の定義は、以下の通りである。
【００６２】
ＨＢＰは、収縮期血圧＞／＝１４０ｍｍＨｇ、拡張期血圧＞／＝９０ｍｍＨｇ又は降圧薬を服用していると定義される。正常な血圧の対象は、他の全ての対象、つまり、収縮期血圧が、１４０ｍｍＨｇ未満又は拡張期血圧が９０ｍｍＨｇ未満又は降圧薬を服用していない対象である。
【００６３】
他の実施形態において、少なくとも１つの臨床パラメータがさらに決定され、ここで、前記臨床パラメータは、年齢、真性糖尿病の存在、現在の喫煙、収縮期血圧、拡張期血圧、ボディマスインデックス（ＢＭＩ）、抗圧治療、ウェストとヒップの比率、ウェスト周囲、を含む群から選択される。
【００６４】
本発明の方法の特定の実施形態において、さらに、少なくとも１つのさらなるバイオマーカーは、前記対象の体液中で決定され、前記初回心血管イベントが発生するリスクと相関し、ここで、前記さらなるバイオマーカーが、プロニューロテンシン１−１１７（ＰＮＴ １−１１７）、Ｃ反応性タンパク質（ＣＲＰ）、プロ脳性ナトリウム利尿ペプチド１−１０８（プロＢＮＰ １−１０８）、プロＢＮＰ、ＢＮＰ、心房性ナトリウム利尿ペプチド１−９８（プロＡＮＰ−Ｎ末端断片）、少なくとも５アミノ酸長のプロＡＮＰ及びその断片アドレノメデュリン、少なくとも５アミノ酸長のプロアドレノメデュリン（プロＡＤＭ）及びその断片ＳＴ−２、ＧＤＦ１５、ガレクチン−３、コペプチン、ヒト成長ホルモン（ｈＧＨ）、空腹時血糖又は血漿グルコース、トリグリセリド、ＨＤＬコレステロール又はそのサブフラクション、ＬＤＬコレステロール又はそのサブフラクション、インスリン、シスタチンＣを含む群から選択される。
【００６５】
本発明の主題はまた、前述の何れかの段落で定義されているように、初回心血管イベント又は心血管死が発生するリスクを決定する方法であって、ここで、前記方法は、以下にさらに定義されるように、前記対象をリスク群に層別化するために実行される。本発明の特定の実施形態において、方法は、対象をリスク群に層別化（例えば、初回心血管イベント又は心血管死が発生するリスクが低い、リスクが中程度、リスクが高い）するために使用される。初回心血管イベント又は心血管死が発生するリスクが引くは、セレノプロテインＰ及び／又はその断片の値が、初回心血管イベント又は心血管死が発生しない健康な対象の所定の値と比較して実質的に減少しないことを意味する。セレノプロテインＰ及び／又はその断片のレベルが、初回心血管イベント又は心血管死が発生しない健康な対象の所定の値と比較して上昇する場合、中程度のリスクが存在し、セレノプロテインＰ及び／又はその断片のレベルが、ベースライン測定時に大幅に低下し、その後の分析で低下し続ける場合、高いリスクが存在するとする。
【００６６】
セレノプロテインＰの断片は、配列番号３〜１５を含む群から選択され得る。
【００６７】
初回心血管イベント又は心血管死が発生するリスクを決定するための閾値は、健康な集団の正常範囲の下限、例えば中央値５．５ｍｇ／Ｌ、より好ましくは５．０ｍｇ／Ｌ、さらにより好ましくは４．５ｍｇ／Ｌ、最も好ましくは４．０ｍｇ／Ｌであり得る。閾値の範囲は、４．０〜５．５ｍｇ／Ｌの間である。これらの閾値は、実施例で説明される較正方法に関連する。
【００６８】
全ての閾値及び値は、実施例に用いられるテスト及び較正に関して確認する必要がある。当業者には、閾値の絶対値が、用いられる較正によって影響を受ける可能性があることは周知である。これは、本明細書に記載される全ての値及び閾値は、用いられる較正の内容で解釈され得ることを意味する。
【００６９】
閾値レベルは、特定の病状（例えば、心血管イベント）を発症した対象からのサンプル及び病状を発症しなかった対象からのサンプルを測定することによって決定され得る。閾値を決定する可能性の１つは、受信者操作特性曲線（ＲＯＣ曲線）であり、「正常」集団（例えば、病状を発症しない対象）及び「疾患」集団（例えば、病状を発症した対象）における変数の値及びその相対頻度をプロットする。特定の病状を発症している、又は発症していない対象のマーカーレベルの分布は、おそらく重複する。そのような条件下において、テストは、「正常」及び「疾患」を１００％の精度で区別できず、重複する領域は、テストが正常と「疾患」を区別することができない場所にある。閾値は選択され、閾値を超えると（又は低下すると、「疾患」でマーカーがどのように変化するかに応じて）テストは、異常ありとみなされ、それを下回るとテストは、正常とみなされる。ＲＯＣ曲線下面積は、知覚された測定によって病状を正しく特定できる確率の尺度である。ＲＯＣ曲線は、テスト結果で必ずしも正確な数値が得られない場合でも使用され得る。結果を等級付けできる限り、ＲＯＣ曲線を作成することができる。例えば、「疾患」サンプル上のテスト結果は、程度によって（例えば、１＝低い、２＝正常、３＝高い）等級付けされ得る。この等級は、「正常」集団と相関され得、ＲＯＣ曲線が作製される。これらの方法は、当該技術分野で公知である（Hanley et al. 1982. Radiology 143: 29-36）。好ましくは、閾値は、約０．５を超える、より好ましくは約０．７を超える、さらにより好ましくは約０．８を超える、さらにより好ましくは約０．８５を超える、及び最も好ましくは約０．９を超えるＲＯＣ曲線面積お提供するように選択される。この文脈における「約」という用語は、所定の測定値の＋／−５％を指す。ＲＯＣ曲線の横軸は、（１−特異性）を表し、偽陽性率とともに増加する。曲線の縦軸は感度をあらわし、真陽性率とともに増加する。従って、選択されたカットオフについて、（１−特異性）の値が決定され得、対応する感度が得られ得る。ＲＯＣ曲線下面積は、測定されたマーカーレベルが、疾患又は病状の正確な識別を可能にする確立の尺度である。従って、ＲＯＣ曲線の下面積は、テストの有効性を判断するために用いられ得る。オッズ比は、効果の大きな尺度であり、２つのバイナリデータ値間の関連性又は非独立性の強さを表す（例えば、テスト陰性群で発生するイベントのオッズに対するテスト陽性群で発生するオッズの比）。
【００７０】
閾値レベルは、例えば、カプランマイヤー分析から得ることができ、疾患の発生又は重篤な病状及び／又は死亡の確立は、例えば、集団の各マーカーの四分位と相関する。この分析によれば、７５ｔｈパーセンタイルを超えるマーカーレベルを有する対象は、本発明による疾患が発生するリスクが著しく増加している。この結果は、典型的なリスク要因を調整するＣｏｘ回帰分析によってさらに補足される。他の全ての対象に対する最も高い（又は最も低い四分位、「疾患」でマーカーがどのように変化するかに応じて）は、本発明によれば、疾患を発症するリスクの増加又は重篤な病状及び／又は死亡の可能性と非常に有意に関連する。
【００７１】
他の好ましいカットオフ値は、例えば、参照集団の１０ｔｈ、５ｔｈ又は１ｓｔパーセンタイルである。２５ｔｈパーセンタイルより高いパーセンタイルを使用することにより、特定される偽陽性の対象の数を減らすが、リスクが未だに高いにもかかわらず、中程度の対象を特定できない場合がある。従って、「偽陽性」も特定する代わりに、リスクを有する対象のほとんどを特定することがより適切であるとみなされるか、又は中程度のリスクを有するいくつかの対象を見落とす代わりに主に高いリスクを有する対象を特定することがより適切であるかとみなされるかに応じて、カットオフ値を適応させることができる。
【００７２】
当業者にとって、そのような統計的に有意なレベルを決定する方法は周知である。
【００７３】
本発明の主題はまた、前述の段落の何れかにおける初回心血管イベント又は心血管死が発生するリスクを決定する方法であって、ここで、前記方法が、初回心血管イベント又は心血管死が発生するリスクを監視するために複数回実行される。前記監視は、セレノプロテインＰ及び／又はその断片の測定を用いて行われる予防的及び／又は治療的措置に対する前記対象の反応を評価する目的で行われ得る。
【００７４】
本発明の一実施形態において、サンプルは、全血、血漿、及び血清を含む群から選択される。
【００７５】
予防的療法又は介入は、セレンの補充である。セレンは、亜セレン酸塩、セレン酸塩、又はセレノメチオニン（Ｌ−セレノメチオニン）として使用され得る。
【００７６】
セレンの補充は、ビタミン類（例えば、ビタミンＥ、ビタミンＣ、ビタミンＡ）及び／又はミネラル栄養素（例えば、ヨウ素、フッ化物、亜鉛）及び／又は補因子（例えば、コエンザイムＱ１０）と組み合わせて適用され得る。
【００７７】
一般に心臓発作として知られている心筋梗塞（ＭＩ）は、心臓の一部への血流が減少又は停止した際に発生し、心筋に損傷を与える。最も一般的な症状は、胸の痛み又は不快感であり、肩、腕、背中、首、又は頬に伝わる。心筋梗塞は、ＳＴ上昇型心筋梗塞（ＳＴＥＭＩ）又は非ＳＴ上昇型心筋梗塞（ＮＳＴＥＭＩ）に分類され得る。
【００７８】
心不全（ＨＦ）は、心臓の構造又は機能に問題を有し、体が必要とするのに十分な量の血液を供給する能力が損なわれると発生する心臓の病状である。これは、様々な症状、特に安静時又は運動時の息切れ（ＳＯＢ）、肺うっ血及び足首の腫れ等の体液貯留の兆候、安静時の心臓の構造又は機能の異常性を示す客観的な証拠の原因となり得る。急性心不全（ＡＨＦ）は、緊急治療又は入院の必要性がある心不全の兆候及び症状の急速な発症として定義される。ＡＨＦは、急性デノボＨＦ（以前に心機能不全のない患者におけるＡＨＦの新たな発症）又は慢性ＨＦの急性代償不全として現れ得る。
【００７９】
脳卒中は、脳血管疾患に起因する急性限局性神経学的欠損として定義される。脳卒中の２つの主なタイプは、虚血性と出血性であり、それぞれ、約８５％及び１５％を占める。上記のように、いくつかの特定の実施形態において、初回心血管イベントが発生するリスクを評価する又は心血管に起因する死亡のリスクを評価するための本明細書で開示される方法は、上記脳卒中等ではなく、ここで、脳卒中は、初回心血管イベントである、又は心血管に起因する死亡は、脳卒中に関連する。
【００８０】
冠血行再建は、経皮的冠動脈形成術（ＰＣＩ）及び冠動脈バイパス術（ＣＡＢＧ）を含む。経皮的冠動脈形成術（ＰＣＩ）は、冠動脈疾患で見られる心臓の冠動脈の狭窄（狭窄症（ｓｔｅｎｏｓｉｓ））の治療に使用される非外科的手法である。大動脈又は橈骨動脈を介して血流に達した後、当該手法は、冠動脈カテーテル法を使用して、Ｘ線画像で血管を視覚化する。これの後に、インターベンショナル心臓医は、収縮したバルーンを閉塞した動脈内に勧め、狭窄を緩和するために膨らませたバルーンカテーテルを用いて、冠動脈形成術を行うことができる；スタント等の特定の装置が、血管の開放を維持するために使用され得る。他の様々な手段も実行され得る。冠動脈バイパス術は、冠動脈バイパス移植術（ＣＡＢＧ、発音「キャベッジ」）とも呼ばれ、口語的には心臓バイパス又はバイパス手術と呼ばれ、閉塞した冠動脈への正常な血流を回復させるための外科的処置である。この手術は、冠動脈の閉塞が５０％〜９９％の場合に多く用いられる。
【００８１】
本発明の主題は、セレノプロテインＰ及び／又はその断片の測定を用いて、初回心血管イベント又は心血管死が発生するリスクが高いと識別された対象におけるセレンの補充であり、ここで、前記対象は、現在喫煙者である対象又は以前に喫煙者であった対象である。
【００８２】
本発明の主題はまた、セレノプロテインＰ及び／又はその断片の測定を用いて、初回心血管イベント又は心血管死が発生するリスクが高いと識別された対象におけるセレンの補充であり、ここで、脳卒中が、初回心血管イベントではなく、心血管に起因する死亡が、脳卒中と関連しない。
【００８３】
本発明の主題は、初回心血管イベントが発生するリスク又は血管死亡のリスクを有する対象の治療に使用するためのセレンであり、ここで、前記対象が、高い初回心血管イベントが発生するリスク又は心血管に起因する死亡のリスクを有する。
【００８４】
本発明の主題は、初回心血管イベントが発生するリスク又は血管死亡のリスクを有する対象の治療に使用するためのセレンであり、ここで、前記対象が、高い初回心血管イベントが発生するリスク又は心血管に起因する死亡のリスクを有し、ここで、脳卒中が、初回心血管イベントではなく、心血管に起因する死亡が、脳卒中と関連しない。
【００８５】
本発明の主題は、初回心血管イベントが発生するリスク又は血管死亡のリスクを有する対象の治療に使用するためのセレンであり、ここで、前記対象が、本発明によって記載される方法に従って決定されるように、高い初回心血管イベントが発生するリスク又は心血管に起因する死亡のリスクを有する。
【００８６】
本発明の主題は、初回心血管イベントが発生するリスク又は血管死亡のリスクを有する対象の治療に使用するためのセレンであり、ここで、前記対象が、本発明によって記載される方法に従って決定されるように、高い初回心血管イベントが発生するリスク又は心血管に起因する死亡のリスクを有し、ここで、脳卒中が、初回心血管イベントではなく、及び心血管に起因する死亡が、脳卒中と関連しない。
【００８７】
本発明の主題は、初回心血管イベントが発生するリスク又は心血管に起因する死亡のリスクを有する対象の治療に使用するためのセレンであって、ここで、前記対象が、本発明によって記載されるような方法に従って決定されるように、高い初回心血管イベントが発生するリスク又は心血管に起因する死亡のリスクを有し、ここで、セレノプロテインＰ及び／又はその断片の決定されたレベル及び／又は量が、閾値を下回り、及び前記閾値が、４．０〜５．５ｍｇ／Ｌの間である。
【００８８】
本発明の主題は、初回心血管イベントが発生するリスク又は心血管に起因する死亡のリスクを有する対象の治療に使用するためのセレンであって、ここで、前記対象が、本発明によって記載されるような方法に従って決定されるように、高い初回心血管イベントが発生するリスク又は心血管に起因する死亡のリスクを有し、ここで、セレノプロテインＰ及び／又はその断片の決定されたレベル及び／又は量が、閾値を下回り、及び前記閾値が、４．０〜５．５ｍｇ／Ｌの間であり、ここで、脳卒中が、初回心血管イベントではなく、心血管に起因する死亡が、脳卒中と関連しない。
【００８９】
本発明の主題は、初回心血管イベントが発生するリスク又は心血管に起因する死亡リスクを有する対象の治療に使用するためのセレンであって、ここで、前記対象が、本発明によって記載されるような方法に従って決定されるように、高い初回心血管イベントが発生するリスク又は心血管に起因する死亡のリスクを有し、ここで、前記対象が喫煙者である。
【００９０】
本発明の主題は、たばこ又はニコチン性消耗品の箱とセレンを含む錠剤を含むキットである。
【００９１】
本発明の主題は、初回心血管イベントが発生するリスク又は心血管に起因する死亡のリスクを有する対象の治療方法であって、ここで、前記対象が、高い初回心血管イベントが発生するリスク又は心血管に起因する死亡のリスクを有する場合、セレンが、医薬的に許容される量で前記対象に投与される。
【００９２】
本発明の主題は、初回心血管イベントが発生するリスク又は心血管に起因する死亡のリスクを有する対象の治療方法であって、ここで、前記対象が、高い初回心血管イベントが発生するリスク又は心血管に起因する死亡のリスクを有する場合、セレンが、医薬的に許容される量で前記対象に投与され、ここで、脳卒中が、初回心血管イベントではなく、心血管に起因する死亡が、脳卒中と関連しない。
【００９３】
本発明の主題は、初回心血管イベントが発生するリスク又は心血管に起因する死亡のリスクを有する対象の治療方法であって、ここで、セレンが、医薬的に許容される量で前記対象に投与され、前記対象が、本発明に従って決定されるように、高い初回心血管イベントが発生するリスク又は心血管に起因する死亡のリスクを有する。
【００９４】
本発明の主題は、初回心血管イベントが発生するリスク又は心血管に起因する死亡のリスクを有する対象の治療方法であって、ここで、セレンが、医薬的に許容される量で前記対象に投与され、前記対象が、本発明に従って決定されるように、高い初回心血管イベントが発生するリスク又は心血管に起因する死亡のリスクを有し、ここで、脳卒中が、初回心血管イベントではなく、心血管に起因する死亡が、脳卒中と関連しない。
【００９５】
本発明の主題は、上記実施形態で説明されるように、初回心血管イベントが発生するリスク又は心血管に起因する死亡のリスクを有する対象の治療方法であって、ここで、セレノプロテインＰ及び／又はその断片の決定されたレベル及び／又は量が、閾値を下回り、ここで前記閾値が、４．０〜５．５ｍｇ／Ｌの間である。
【００９６】
本発明の主題は、上記実施形態で説明されるように、初回心血管イベントが発生するリスク又は心血管に起因する死亡のリスクを有する対象の治療方法であって、ここで、セレノプロテインＰ及び／又はその断片の決定されたレベル及び/又は量が、閾値を下回り、ここで、前記閾値が、４．０〜５．５ｍｇ／Ｌの間であり、ここで、脳卒中が、初回心血管イベントではなく、及び心血管に起因する死亡が、脳卒中に関連しない。
【００９７】
本発明の主題は、上記何れかの実施形態で説明されるように、初回心血管イベントが発生するリスク又は心血管に起因する死亡のリスクを有する対象の治療方法であって、ここで、前記対象が喫煙者である。
【００９８】
本発明の主題は、上記何れかの実施形態で説明されるように、初回心血管イベントが発生するリスク又は心血管に起因する死亡のリスクを有する対象の治療方法であって、ここで、前記対象が喫煙者であり、ここで、脳卒中が、初回心血管イベントではなく、心血管に起因する死亡が、脳卒中に関連しない。
【００９９】
本発明の主題は、ニコチン性消耗品及びセレンを含む固体組成物を含むキットである。ニコチン性消耗品は、たばこを含む消耗品、例えばシガレット又は葉巻又はニコチンパッチを含むたばこ等である。
【０１００】
セレンの固形投与製剤は、例えば、錠剤、カプセル、顆粒、粉末、小袋、再構成可能な粉末、乾燥粉末、乾燥粉末吸入器及びチュアブルである。
【０１０１】
キットは、キットの一部であり得、これはセレンを含むニコチン性消耗品及び固体組成物は、異なる実体であり得ることを意味する。しかしながら、セレンを含む固体組成物が、ニコチン性消耗品内、例えば、ニコチン性消耗品のたばこと混合されるセレンを含む粉末内に含まれることも可能である。
【０１０２】
本発明の主題はまた、以下の項目の１５〜２３の何れかによる治療方法を監視する方法であって、以下の項目の１〜１４の何れかによるリスクを評価する方法であって、前記方法が、少なくとも２回実施される方法である。従って、セレンは、セレン組成物の投与期間中に対象のサンプルで決定され、セレン投与を継続するか否かを確認する。監視の目的のためのこの決定は、治療中の異なる時点で、例えば１日１回、又は１週間に１回での伝導（ｃｏｎｄｕｃｔｉｏｎ）であり得る。
【０１０３】
本発明の実施形態は以下の通りである：
１．対象における初回心血管イベントが発生するリスクを評価する又は心血管に起因する死亡のリスクを評価する方法であって、
ａ）前記対象のサンプル中のセレノプロテインＰ及び／又はその断片のレベル及び/又は量を決定すること、
ｂ）セレノプロテインＰ及び／又はその断片の決定された前記レベル及び/又はその量を、前記対象の初回心血管イベントが発生するリスクと相関させること、又は心血管に起因する死亡のリスクを評価すること、
を含む方法。
【０１０４】
２．対象のサンプル中のセレノプロテインＰ及び／又はその断片の決定されたレベル及び/又は量が閾値を下回る際に、初回心血管イベントが発生するリスクを評価すること又は心血管に起因する死亡のリスクを評価することが、強化される、項目１に記載の対象における初回心血管イベントが発生するリスクを評価する又は心血管に起因する死亡のリスクを評価する方法。
【０１０５】
３．前記サンプル中のセレノプロテインＰ及び／又はその断片の前記レベル及び/又はその量が、閾値を下回る際に、初回心血管イベントが発生するリスクを評価すること、又は心血管に起因する死亡のリスクを評価することが、強化され、ここで、前記閾値が４．０〜５．５ｍｇ／Ｌの間である、項目１に記載の対象における初回心血管イベントが発生するリスクを評価する又は心血管に起因する死亡のリスクを評価する方法。
【０１０６】
４．前記サンプル中のセレノプロテインＰ及び／又はその断片の前記レベル及び/又はその量が、閾値を下回る際に、初回心血管イベントが発生するリスクを評価すること、又は心血管に起因する死亡のリスクを評価することが、強化され、ここで、前記閾値が、受信者操作特性曲線（ＲＯＣ曲線）を計算することによって決定され、「正常」集団（例えば、病状を発症しなかった対象）及び「疾患」集団（例えば、病状を発症した対象）における変数の値対その相対頻度をプロットする、項目１〜３に記載の対象における初回心血管イベントが発生するリスクを評価する又は心血管に起因する死亡のリスクを評価する方法。
【０１０７】
５．前記サンプル中のセレノプロテインＰ及び／又はその断片の前記レベル及び/又はその量が、閾値を下回る際に、初回心血管イベントが発生するリスクを評価すること、又は心血管に起因する死亡のリスクを評価することが、強化され、ここで、前記閾値が、健康集団の正常範囲を下回る、例えば、中央値５．５ｍｇ／Ｌ、より好ましくは５．０ｍｇ／Ｌ、さらにより好ましくは４．５ｍｇ／Ｌ、最も好ましくは４．０ｍｇ／Ｌである、項目１〜４に記載の対象における初回心血管イベントが発生するリスクを評価する又は心血管に起因する死亡のリスクを評価する方法。
【０１０８】
６．前記対象が、サンプル採取時に心血管イベントを発症したことがなく、心血管疾患を発症したことがない、項目１〜５に記載の対象における初回心血管イベントが発生するリスクを評価する又は心血管に起因する死亡のリスクを評価する方法。
【０１０９】
７．前記初回心血管イベントが、心筋梗塞、急性心不全、脳卒中、冠血行再建を含む群から選択され、及び前記心血管に起因する死亡が、心筋梗塞、脳卒中又は急性心不全に関連する心血管死から選択される、項目１〜６に記載の対象における初回心血管イベントが発生するリスクを評価する又は心血管に起因する死亡のリスクを評価する方法。
【０１１０】
８．前記対象が、現在喫煙者である又は以前に喫煙者であった者である、項目１〜７に記載の対象における初回心血管イベントが発生するリスクを評価する又は心血管に起因する死亡のリスクを評価する方法。
【０１１１】
９．セレノプロテインＰ及び／又はその断片の前記レベル及び/又はその量が、配列番号２に結合する少なくとも１つの結合剤を使用するイムノアッセイによって決定される、項目１〜８に記載の対象における初回心血管イベントが発生するリスクを評価する又は心血管に起因する死亡のリスクを評価する方法。
【０１１２】
１０．前記少なくとも１つの結合剤が、抗体又はその断片である、項目９に記載の対象における初回心血管イベントが発生するリスクを評価する又は心血管に起因する死亡のリスクを評価する方法。
【０１１３】
１１．セレノプロテインＰ及び／又はその断片の前記レベル及び/又はその量が、質量分析によって決定される、項目１〜８に記載の対象における初回心血管イベントが発生するリスクを評価する又は心血管に起因する死亡のリスクを評価する方法。
【０１１４】
１２．前記対象が、真性糖尿病を患っていない、項目１〜１１に記載の対象における初回心血管イベントが発生するリスクを評価する又は心血管に起因する死亡のリスクを評価する方法。
【０１１５】
１３．前記死亡を含む初回心血管イベントが発生するリスクが、前記対象からサンプルを採取した後、１０年、好ましくは８年、好ましくは５年、好ましくは２．５年の期間評価される、項目１〜１２に記載の対象における初回心血管イベントが発生するリスクを評価する又は心血管に起因する死亡のリスクを評価する方法。
【０１１６】
１４．前記サンプルが、全血、血漿、及び血清を含む群から選択される、項目１〜１３に記載の対象における初回心血管イベントが発生するリスクを評価する又は心血管に起因する死亡のリスクを評価する方法。
【０１１７】
１５．初回心血管イベントが発生するリスク又は心血管に起因する死亡のリスクを有する対象の治療に使用するためのセレンであって、ここで、前記対象が、高い初回心血管イベントが発生するリスク又は心血管に起因する死亡のリスクを有する、セレン。
【０１１８】
１６．初回心血管イベントが発生するリスク又は心血管に起因する死亡のリスクを有する対象の治療に使用するためのセレンであって、ここで、前記対象が、項目１〜１４の方法によって決定されるように、高い初回心血管イベントが発生するリスク又は心血管に起因する死亡のリスクを有する、セレン。
【０１１９】
１７．初回心血管イベントが発生するリスク又は心血管に起因する死亡のリスクを有する対象の治療に使用するためのセレンであって、ここで、前記対象が、項目１〜１４の方法によって決定されるように、高い初回心血管イベントが発生するリスク又は心血管に起因する死亡のリスクを有し、セレノプロテインＰ及び／又はその断片の決定された前記レベル及び/又はその量が、閾値を下回り、及び前記閾値が、４．０〜５．５ｍｇ／Ｌの間である、セレン。
【０１２０】
１８．初回心血管イベントが発生するリスク又は心血管に起因する死亡のリスクを有する対象の治療に使用するためのセレンであって、ここで、前記対象が、項目１５〜１７の何れかによる高い初回心血管イベントが発生するリスク又は心血管に起因する死亡のリスクを有し、前記対象が、現在喫煙者である又は以前に喫煙者であった者である、セレン。
【０１２１】
１９．ニコチン性消耗品及びセレンを含む固形組成物を含むキット。
【０１２２】
２０．初回心血管イベントが発生するリスク又は心血管に起因する死亡のリスクを有する対象の治療方法であって、ここで、セレンが、医薬的に許容される量で前記対象に投与され、前記対象が、高い初回心血管イベントが発生するリスク又は心血管に起因する死亡のリスクを有する、治療方法。
【０１２３】
２１．セレンが、医薬的に許容される量で前記対象に投与され、前記対象が、項目１〜１４の方法によって決定されるように、高い初回心血管イベントが発生するリスク又は心血管に起因する死亡のリスクを有する、初回心血管イベントが発生するリスク又は心血管に起因する死亡のリスクを有する対象の治療方法。
【０１２４】
２２．セレノプロテインＰ及び／又はその断片の決定された前記レベル及び/又はその量が、閾値を下回り、及び前記閾値が、４．０〜５．５ｍｇ／Ｌの間である、項目２１に記載の初回心血管イベントが発生するリスク又は心血管に起因する死亡のリスクを有する対象の治療方法。
【０１２５】
２３．前記対象が、現在喫煙者である又は以前に喫煙者であった者である、項目２０〜２２の何れかに記載の初回心血管イベントが発生するリスク又は心血管に起因する死亡のリスクを有する対象の治療方法。
【０１２６】
２４．項目１５〜２３の何れかに記載の治療方法を監視する方法であって、項目１〜１４の何れかに記載のリスクを評価するための方法が、少なくとも２回実施される、方法。
【０１２７】
２５．前記投与されるセレンが、亜セレン酸塩、セレン酸塩、又はセレノメチオニン（Ｌ−セレノメチオニン）を含む群から選択される、項目１５〜２４の何れかに記載の初回心血管イベントが発生するリスク又は心血管に起因する死亡のリスクを有する対象の治療方法。
【０１２８】
２６．上記項目１〜２５の特定の実施形態において、初回心血管イベントが、脳卒中ではなく、及び/又は心血管に起因する死亡が、脳卒中とは関連しない。
【実施例】
【０１２９】
実施例１：アッセイの説明
血清サンプル中のヒトセレノプロテインＰを定量するために、発色酵素結合免疫吸着アッセイである、Ｓｅｌｅｎｏｔｅｓｔ ＥＬＩＳＡ（Hybsier et al. 2017. Redox Biology 11: 403-414; Hybsier et al. 2015. Perspectives in Science 3: 23-24）が用いられた。Ｓｅｌｅｎｏｔｅｓｔ ＥＬＩＳＡは、９６ウェルプレート形式のサンドイッチ酵素イムノアッセイであり、抗原の補足及び検出工程に２つの異なるセレノプロテインＰ特異的モノクローナル抗体を使用する。キャリブレーター及びコントロールのセレノプロテインＰ濃度は、ＮＩＳＴ ＳＲＭ１９５０標準参照物質の段階希釈に対する測定によって決定された。モノクローナル抗体（Ａｂ）は、精製された組換えセレノプロテインＰのエマルジョンとマウスの免疫によって生成された。特定のモノクローナルＡｂ５は、補足Ａｂとして固定化され、及び特定のｍＡｂは、検出Ａｂとして用いられた。定量下限（ＬＬＯＱ）は、１１．６μｇ／ＬのセレノプロテインＰ濃度で決定され、定量上限（ＵＬＯＱ）は、５３８．４μｇ／Ｌで決定され、それによって、１１．６〜５３８．４μｇ／ＬのセレノプロテインＰ濃度での作業範囲を決定する。２０％ＣＶでの交差は、検出限界（ＬＯＤ）を定義し、６．７μｇ／ＬのセレノプロテインＰ濃度、すなわち、十分に供給された対象の平均血清ＳｅＰＰ濃度の約５００倍で到達した。シグナルは、アッセイの作業範囲内で希釈すると直線的であり、ＳｅＰＰは、室温、２４時間血清中で安定した。さらなるアッセイの詳細は、Hybsier et al. 2017. Redox Biology 11: 403-414を参照されたい。
【０１３０】
実施例２： ＭＰＰ研究
研究の説明
集団に基づくマルメ予防プロジェクト（ＭＰＰ）は、スウェーデンの単一の施設の前向き予測集団に基づく研究である。１９７４年〜１９９２年の間に、マルメ市地域から同質な民族的背景を有する合計３３，３４６人の男女が採用され、全脂肪原因及び心血管疾患（ＣＶＤ）の従来の危険因子についてスクリーニングされた。ベースライン手順の詳細な説明は、他の文献に見出される（Fedorowski et al. 2010. Eur Heart J 31: 85-91; Berglund et al. 1996. J Intern Med 239: 489-97）。２００２年〜２００６年の間に、元のＭＰＰコホートの全ての生存者を再検査した。これらのうち、１８，２４０人の参加者（ｎ＝６，６８２人の女性）が、招待に応じ、採血及びＥＤＴＡ血漿アリコートの−８０℃での即時保存を含めて再検査された。２００２〜２００６年の再検査は、現在の調査におけるベースライン時点を表す。
【０１３１】
セレノプロテインＰについて試験された１８２４０人の対象のうち５０６０人は、ランダムなサンプルである（平均年齢６９歳）。４３６６人の対象は、以前からＣＶＤ（心筋梗塞、脳卒中、冠血行再建）を有しない。患者の平均追跡期間は、９．３年であり、死亡（ｎ＝１１１１）、ＣＶＤによる死亡（ｎ＝３５１）、第１のＣＶＤイベント（ｎ＝７４５）であった。
【０１３２】
統計
値は、平均及び標準偏差、中央値及び四分位範囲（ＩＱＲ）、又は必要に応じて数及びパーセンテージとして表される。Ｃｏｘ比例ハザード回帰を使用して、単変量及び多変量解析におけるイベント発生までのエンドポイント（死亡率、ＣＶＤによる死亡及び第１のＣＶＤまでの時間）に対するリスク要因の影響を解析した。比例ハザードの仮定は、全ての変数について試験された。ＳｅＰＰ濃度は、対数変換された。全ての連続する変数について、ハザード比（ＨＲ）が標準化され、１つのＩＱＲの変化に対するＨＲが記載された。ＳｅＰＰ五分位数を使用してＫａｐｌａｎ−Ｍｅｉｅｒ法でプロットされた生存曲線が、説明のために用いられた。
【０１３３】
結果
コホートのベースライン特性を表１示す。
【表１】
2021500561.tif 000002
【０１３４】
ベースラインでのＳｅＰＰの最も低い５分の１位の対象の喫煙率が最も高い（２７．５％喫煙者）のに対し、ＳｅＰＰの５分の２〜５位においては、１６．４〜１８％である（Ｐ＜０．００１）。
【０１３５】
ＳｅＰＰの血漿濃度が低い（５分位数が最も低い=ＳｅＰＰ欠乏）と心血管に起因する死亡及び初回心血管イベントが、強くかつ、独立で予測される。
【０１３６】
多変量調整分析（年齢、性別、喫煙、ＢＭＩ、収縮期血圧、降圧療法、ＨＤＬ、ＬＤＬ、糖尿病に合わせて調整）は、最も低いＳｅＰＰ五分位が心血管に起因する死亡と強くかつ、独立に関連していることが明らかとなった（Ｑ１ ｖｓ． Ｑ２−５： ＨＲ＝２．７（２．３−３．１）， ｐ＜０．０００１； 継続的ＨＲ（標準化された）＝０．８３（０．７５−０．９５）， ｐ＜０．０００１）。
【０１３７】
多変量調整分析（年齢、性別、喫煙、ＢＭＩ、収縮期血圧、降圧療法、ＨＤＬ、ＬＤＬ、糖尿病に合わせて調整）は、最も低いＳｅＰＰ五分位が初回心血管イベントと強くかつ、独立に関連していることが明らかとなった（Ｑ１ ｖｓ． Ｑ２−５： ＨＲ＝１．５（１．４−１．７）， ｐ＜０．０００１； 継続的ＨＲ（標準化された）＝０．８５（０．７９−０．９２）， ｐ＜０．０００１）。
【配列表フリーテキスト】
【０１３８】
配列表
配列番号１：シグナル配列を含むセレノプロテインＰ（アミノ酸１〜３８１）
MWRSLGLALA LCLLPSGGTE SQDQSSLCKQ PPAWSIRDQD PMLNSNGSVT
VVALLQASUY LCILQASKLE DLRVKLKKEG YSNISYIVVN HQGISSRLKY
THLKNKVSEH IPVYQQEENQ TDVWTLLNGS KDDFLIYDRC GRLVYHLGLP 
FSFLTFPYVE EAIKIAYCEK KCGNCSLTTL KDEDFCKRVS LATVDKTVET 
PSPHYHHEHH HNHGHQHLGS SELSENQQPG APNAPTHPAP PGLHHHHKHK 
GQHRQGHPEN RDMPASEDLQ DLQKKLCRKR CINQLLCKLP TDSELAPRSU 
CCHCRHLIFE KTGSAITUQC KENLPSLCSU QGLRAEENIT ESCQURLPPA 
AUQISQQLIP TEASASURUK NQAKKUEUPS N
【０１３９】
配列番号２：分泌されたセレノプロテインＰ（アミノ酸２０〜３８１）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCCHCRHLIF EKTGSAITUQ
CKENLPSLCS UQGLRAEENI TESCQURLPP AAUQISQQLI PTEASASURU
KNQAKKUEUP SN
【０１４０】
配列番号３：セレノプロテインＰ（アミノ酸２０〜３４６）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCCHCRHLIF EKTGSAITUQ
CKENLPSLCS UQGLRAEENI TESCQUR
【０１４１】
配列番号４：セレノプロテインＰ（アミノ酸２０〜２９８）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPR 
【０１４２】
配列番号５：セレノプロテインＰ（アミノ酸２０〜２９９）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS 
【０１４３】
配列番号６：セレノプロテインＰ（アミノ酸２０〜３００）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS U
【０１４４】
配列番号７：セレノプロテインＰ（アミノ酸２０〜３０１）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UC
【０１４５】
配列番号８：セレノプロテインＰ（アミノ酸２０〜３０２）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCC
【０１４６】
配列番号９：セレノプロテインＰ（アミノ酸２０〜３０３）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCCH 
【０１４７】
配列番号１０：セレノプロテインＰ（アミノ酸２０〜３０４）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCCHC
【０１４８】
配列番号１１：セレノプロテインＰ（アミノ酸２０〜３０５）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCCHCR 
【０１４９】
配列番号１２：セレノプロテインＰ（アミノ酸２０〜３０６）
ESQDQSSLCK QPPAWSIRDQ DPMLNSNGSV TVVALLQASU YLCILQASKL
EDLRVKLKKE GYSNISYIVV NHQGISSRLK YTHLKNKVSE HIPVYQQEEN
QTDVWTLLNG SKDDFLIYDR CGRLVYHLGL PFSFLTFPYV EEAIKIAYCE 
KKCGNCSLTT LKDEDFCKRV SLATVDKTVE TPSPHYHHEH HHNHGHQHLG 
SSELSENQQP GAPNAPTHPA PPGLHHHHKH KGQHRQGHPE NRDMPASEDL
QDLQKKLCRK RCINQLLCKL PTDSELAPRS UCCHCRH 
【０１５０】
配列番号１３：セレノプロテインＰ（アミノ酸１〜２３５）
MWRSLGLALA LCLLPSGGTE SQDQSSLCKQ PPAWSIRDQD PMLNSNGSVT
VVALLQASUY LCILQASKLE DLRVKLKKEG YSNISYIVVN HQGISSRLKY 
THLKNKVSEH IPVYQQEENQ TDVWTLLNGS KDDFLIYDRC GRLVYHLGLP 
FSFLTFPYVE EAIKIAYCEK KCGNCSLTTL KDEDFCKRVS LATVDKTVET 
PSPHYHHEHH HNHGHQHLGS SELSENQQPG APNAP
【０１５１】
配列番号１４：セレノプロテインＰ（アミノ酸２７９〜３８１）
KRCINQLLCK LPTDSELAPR SUCCHCRHLI FEKTGSAITU QCKENLPSLC
SUQGLRAEEN ITESCQURLP PAAUQISQQL IPTEASASUR UKNQAKKUEU
PSN 
【０１５２】
配列番号１５：セレノプロテインＰ（アミノ酸３１２〜３８１）
TGSAITUQCK ENLPSLCSUQ GLRAEENITE SCQURLPPAA UQISQQLIPT
EASASURUKN QAKKUEUPSN 
【図１】
2021500561.tif 000003
【図２】
2021500561.tif 000004
【配列表】
2021500561000001.xml
【手続補正書】
【提出日】令和2年6月30日(2020.6.30)
【手続補正１】
【補正対象書類名】明細書
【補正対象項目名】配列表
【補正方法】追加
【補正の内容】
【配列表】
2021500561000001.app
【国際調査報告】
2021500561.tif 000009
2021500561.tif 000010
2021500561.tif 000011
2021500561.tif 000012
2021500561.tif 000013
2021500561.tif 000014
2021500561.tif 000015